(57)【特許請求の範囲】
【請求項１】
画像データが一時保持される揮発性メモリと、
前記揮発性メモリに電力を供給する電池の残容量を検出する検出手段と、
前記検出手段により検出された前記残容量に基づいて、前記揮発性メモリへの前記画像データの記録毎に前記画像データの保持可能時間を算出する保持可能時間演算手段と、
前記保持可能時間を表示する表示手段と、
前記保持可能時間を前記表示手段に表示させる制御手段とを備えたことを特徴とする電子カメラ。
【請求項２】
画像データが一時保持される揮発性メモリと、
前記揮発性メモリに電力を供給する電池の残容量を検出する検出手段と、
前記画像データが保持された前記揮発性メモリのデータ保持時間を設定する設定手段と、
前記画像データを前記データ保持時間だけ保持可能な電池容量である保持容量を算出する保持容量演算手段と、
前記残容量から前記保持容量を差し引いた容量差に基づいて、カメラ使用可能時間を算出する使用可能時間演算手段と、
前記カメラ使用可能時間に基づいた制御処理を行う制御手段とを備えたことを特徴とする電子カメラ。
【請求項３】
請求項２に記載の電子カメラにおいて、
情報を表示する表示手段を有し、
前記制御手段は、前記カメラ使用可能時間を前記表示手段に表示させることを特徴とする電子カメラ。
【請求項４】
請求項３に記載の電子カメラにおいて、
前記検出手段により検出された前記残容量に基づいて、前記揮発性メモリに保持された画像データの保持可能時間を算出する保持可能時間演算手段を備え、
前記制御手段は、前記カメラ使用可能時間および前記保持可能時間を前記表示手段に表示させることを特徴とする電子カメラ。
【請求項５】
請求項３に記載の電子カメラにおいて、
前記制御手段は、前記設定手段により設定されたデータ保持時間を前記カメラ使用可能時間と共に前記表示手段に表示させることを特徴とする電子カメラ。
【請求項６】
画像データが一時保持される揮発性メモリと、カメラに着脱可能に装着され、前記揮発性メモリから前記画像データが転送されて記録される不揮発性メモリとを備える電子カメラにおいて、
前記揮発性メモリに電力を供給する電池の残容量を検出する検出手段と、
前記検出手段により検出された前記残容量に基づいて、前記揮発性メモリに記録された画像データの保持可能時間を算出する保持可能時間演算手段と、
画像データを前記揮発性メモリに一時保持した後に前記不揮発性メモリに転送して記録させる第１の記録モードと、画像データを前記揮発性メモリに記録する第２の記録モードとを選択する記録モード選択手段と、
前記記録モード選択手段により前記第２の記録モードが選択された状態において、前記保持可能時間を表示する表示手段とを備えたことを特徴とする電子カメラ。
【請求項７】
請求項６に記載の電子カメラにおいて、
前記画像データが保持された前記揮発性メモリのデータ保持時間を設定する設定手段と、
前記画像データを前記データ保持時間だけ保持可能な電池容量である保持容量を算出する保持容量演算手段と、
前記残容量から前記保持容量を差し引いた容量差に基づいて、カメラ使用可能時間を算出する使用可能時間演算手段とを備え、
前記表示手段に前記カメラ使用可能時間および前記保持可能時間を表示することを特徴とする電子カメラ。
【請求項８】
請求項２〜５および請求項７のいずれか一つに記載の電子カメラにおいて、
前記電池の残容量が前記保持容量以下の場合に、前記揮発性メモリに記録された前記画像データの保持を除くカメラ動作を停止する停止手段を備えたことを特徴とする電子カメラ。
【請求項９】
画像データが一時保持される揮発性メモリと、
前記揮発性メモリに電力を供給する電池の残容量を検出する検出手段と、
前記検出手段により検出された前記残容量に基づいて、前記揮発性メモリに保持された画像データの保持可能時間を算出する保持可能時間演算手段と、
前記検出手段により検出された前記残容量に基づいて、カメラ使用可能時間を算出する使用可能時間演算手段と、
前記保持可能時間および前記カメラ使用可能時間を表示する表示手段とを備えたことを特徴とする電子カメラ。
【請求項１０】
請求項１〜９のいずれか一つに記載の電子カメラにおいて、
前記画像データは、前記電池からの電力供給により電子カメラの使用が不可能となった後においても前記電池からの電力供給により前記揮発性メモリに保持されることを特徴とする電子カメラ。
【発明の詳細な説明】
【０００１】
【発明の属する技術分野】
本発明は、画像データを一時的に記録することができる揮発性メモリを有する電子カメラに関する。
【０００２】
【従来の技術】
従来の電子カメラには、連写等ができるようバッファメモリを内蔵したものがある。このバッファメモリとしては、コストや記憶容量等の制限により揮発性メモリが使用されることが多い。バッファメモリに一時的に記録された画像データは、所定の画像処理が施された後に電子カメラに着脱可能に装着されたデータ記録用メディアに転送および記録される。バッファメモリ内の画像データは、前記メディアへの転送・記録が終了すると消去される。
【０００３】
【発明が解決しようとする課題】
しかしながら、従来の電子カメラでは、メディアの残容量が１画像データ分の容量より小さくなると、メディアの記録可能枚数がゼロで有ることを表示するとともに、カメラによる撮影が不可となるように制御されるのが一般的であった。その場合、画像データで一杯になったメディアを別のメディアに交換するまでは撮影ができないため、交換に手間取ってシャッターチャンスを逃してしまうという問題があった。
【０００４】
本発明の目的は、データ記録用メディアに画像データが記録できないような場合であっても、撮影が可能な電子カメラを提供することにある。
【０００５】
【課題を解決するための手段】
（１）請求項１の発明による電子カメラは、画像データが一時保持される揮発性メモリと、揮発性メモリに電力を供給する電池の残容量を検出する検出手段と、検出手段により検出された残容量に基づいて、揮発性メモリへの画像データの記録毎に画像データの保持可能時間を算出する保持可能時間演算手段と、保持可能時間を表示する表示手段と、保持可能時間を表示手段に表示させる制御手段とを備えたことを特徴とする。
（２）請求項２の発明による電子カメラは、画像データが一時保持される揮発性メモリと、揮発性メモリに電力を供給する電池の残容量を検出する検出手段と、画像データが保持された揮発性メモリのデータ保持時間を設定する設定手段と、画像データをデータ保持時間だけ保持可能な電池容量である保持容量を算出する保持容量演算手段と、残容量から保持容量を差し引いた容量差に基づいて、カメラ使用可能時間を算出する使用可能時間演算手段と、カメラ使用可能時間に基づいた制御処理を行う制御手段とを備えたことを特徴とする。
（３）請求項６の発明は、画像データが一時保持される揮発性メモリと、カメラに着脱可能に装着され、揮発性メモリから画像データが転送されて記録される不揮発性メモリとを備える電子カメラに適用され、揮発性メモリに電力を供給する電池の残容量を検出する検出手段と、検出手段により検出された残容量に基づいて、揮発性メモリに記録された画像データの保持可能時間を算出する保持可能時間演算手段と、画像データを揮発性メモリに一時保持した後に不揮発性メモリに転送して記録させる第１の記録モードと、画像データを揮発性メモリに記録する第２の記録モードとを選択する記録モード選択手段と、記録モード選択手段により第２の記録モードが選択された状態において、保持可能時間を表示する表示手段とを備えたことを特徴とする。
（４）請求項９の発明による電子カメラは、画像データが一時保持される揮発性メモリと、揮発性メモリに電力を供給する電池の残容量を検出する検出手段と、検出手段により検出された残容量に基づいて、揮発性メモリに保持された画像データの保持可能時間を算出する保持可能時間演算手段と、検出手段により検出された残容量に基づいて、カメラ使用可能時間を算出する使用可能時間演算手段と、保持可能時間およびカメラ使用可能時間を表示する表示手段とを備えたことを特徴とする。
【０００６】
なお、本発明の構成を説明する上記課題を解決するための手段の項では、本発明を分かり易くするために発明の実施の形態の図を用いたが、これにより本発明が発明の実施の形態に限定されるものではない。
【０００７】
【発明の実施の形態】
以下、図１〜図４を参照して本発明の実施の形態を説明する。図１は本発明による電子カメラの一実施の形態を示す図であり、デジタルスチルカメラの概略構成を示すブロック図である。撮影レンズ１の後方（図示下方）にはＣＣＤやＣＭＯＳイメージセンサ等の撮像素子２が配置されており、撮影レンズ１に入射した被写体光は撮像素子２の撮像面に結像される。撮像素子２から出力された画像信号は、Ａ／Ｄ変換回路３によってデジタル信号に変換された後に信号処理回路４に入力される。信号処理回路４では、デジタル変換された信号に輪郭補償やガンマ補正等の画像処理が行われる。
【０００８】
信号処理回路４でガンマ補正等の画像処理が行われた画像データは、ＬＣＤモニタ５の表示解像度に応じて間引き処理などが行われた後にＬＣＤモニタ５に表示される。このＬＣＤモニタ５に表示される画像（スルー画像と呼ばれる）は、上述した撮像素子２による撮像から間引き処理までの一連の処理を繰り返し行うことにより、所定の間隔で逐次更新される。なお、撮影レンズ１は不図示のＡＦ装置により常に焦点調節が行われ、ＬＣＤモニタ５にはピントの合った画像が表示される。
【０００９】
６ａ，６ｂは電子カメラのレリーズ釦の半押しおよび全押し動作に連動する半押しスイッチおよび全押しスイッチであり、半押しスイッチ６ａがオンされると不図示の測光装置による被写体輝度の測光が行われる。その後、レリーズ釦が全押しされて全押しスイッチ６ｂがオン操作されると、撮像素子２から画像信号が出力され、その信号はＡ／Ｄ変換回路３でデジタル信号に変換された後に信号処理回路４で処理され、一旦、バッファメモリ７に格納される。
【００１０】
バッファメモリ７はＤＲＡＭ等の揮発性メモリであり、データ保持は電池８から電力が供給されているときにのみ行われ、電力供給を停止すると保持されていたデータは消失される。バッファメモリ７に格納された画像データは画像圧縮回路９に読み込まれ、ＪＰＥＧ圧縮などをする場合にはデータ圧縮処理を受けた後に再びバッファメモリ７に格納される。バッファメモリ７に格納された画像データは、日時データやシャッター速度や絞り値などが添付された後に記録メディア１２に記録される。記録メディア１２にはＰＣカードやＣＦカードのような不揮発性メモリが用いられ、電子カメラに設けられたコネクタ１１に着脱可能に装着される。
【００１１】
１０はカメラ全体の制御を行うＣＰＵであり、後述する保持可能時間，カメラ使用時間，保持容量等の演算も行われる。算出されたこれらの時間は表示部１５に表示される。なお、表示部１５の電力はカメラ駆動用の電池８とは別に設けられた電池（不図示）により供給される。この電池はクロック機能等の電源として用いられるものである。１６は電池８の残容量を検出する検出部であり、電池８の電圧Ｖに基づいて残容量を算出する。１３はコネクタ１１とＣＰＵ１０とを接続するＩ／Ｆ回路であり、１４は各種指示（後述するモード設定、データ保持時間設定など）をカメラに入力するための操作部である。
【００１２】
《機能の説明》
次に、本実施の形態の電子カメラの有する主な機能について説明する。
（ａ）２種類の記録モード（標準モード、内部記憶モード）
本実施の形態の電子カメラでは、撮影した画像データを２つの方式で記録することができる。１つは通常のカメラと同様に記録メディア１２に記録する方式であり、このような設定を標準モードと呼ぶ。２つ目は画像データをカメラ内部に設けられたバッファメモリ７に記録し保持する方式であり、これを内部記録モードと呼ぶ。これらのモードの選択は、記録メディア１２が画像データで一杯かどうかや記録メディア１２が装着されているか否かによってカメラ側で自動的に行うようにしても良いし、撮影者が操作部１４を操作して選択するようにしても良い。
【００１３】
内部記録モードでは、カメラに記録メディア１２を装着しなくても、または、装着された記録メディア１２が画像データで一杯になっていても撮影が可能であり、撮影された画像データは全てバッファメモリ７に記録される。このとき、ＣＰＵ１０では電池８の残容量でバッファメモリ７に記録された画像データをどれだけの時間保持できるかが算出され、算出された保持可能時間ｔ１は表示部１５に表示される。
【００１４】
図２は、電池８の電圧Ｖと放電容量Ｗｈとの関係を定性的に示す図である。放電容量＝０のときの電圧はＶ０であるが、放電容量の増加とともに電圧Ｖは直線的に低下し、残容量がゼロに近づく放電末期では電圧低下が急激に大きくなる。Ｖminは撮影動作やＬＣＤモニタ５への画像表示が可能な電圧、すなわち、カメラとして使用することができる電圧の下限値であり、本実施の形態では、電池電圧がＶmin以下となったならばカメラ動作を停止する。後述するように、カメラ操作停止状態では、バッファメモリ７に画像データを保持するデータ保持機能のみが動作している。
【００１５】
Ｖminはカメラとして使用する際の下限電圧であって、バッファメモリ７に画像データを保持するだけであれば、電圧がＶ１（＜Ｖmin）となるまで使用することができる。例えば、電池８の電圧がＶ２であった場合、電池の残容量ΔＷｈは次式（１）で与えられる。また、データ保持に要する電力をＷ０とすれば上述した保持可能時間ｔ１は式（２）で算出される。なお、本実施の電子カメラには、図２に示すような電圧−放電容量特性がテーブルとして予め記憶されている。
【数１】
ΔＷｈ＝Ｗｈ１−Ｗｈ２    …（１）
ｔ１＝ΔＷｈ／Ｗ０        …（２）
【００１６】
さらに、上述した保持時間とともに次式（３）で算出されるカメラ使用可能時間ｔ２を表示部１５に表示させても良い。式（３）のＷ１は画像をＬＣＤモニタ５に表示したときの消費電力であり、ｔ２は画像を継続的に表示することができる時間である。なお、カメラ使用可能時間ｔ２の代わりに、撮影可能枚数を表示するようにしても良い。撮影可能枚数は、（Ｗｈmin−Ｗｈ２）を画像を１枚撮影する際の消費電力量Ｗｈ０で除したものから求められる。また、カメラ使用可能時間ｔ２や撮影可能枚数を上述したモードに関係なく表示するようにしても良い。
【数２】
ｔ２＝（Ｗｈmin−Ｗｈ２）／Ｗ１        …（３）
【００１７】
（ｂ）データ保持時間設定機能
バッファメモリ７に保持された画像データの保持時間を設定することができる。この設定操作は操作部１４により行われる。例えば、データ保持時間をｘ時間と設定すると、ｘ時間の保持に必要な容量（保持容量）はｘ・Ｗ０となる。設定時の電池電圧をＶ２とすれば、残容量ΔＷｈは式（１）で与えられるので、残容量と保持容量との差ΔＷｈ１は式（４）で与えられる。そして、データ保持時間設定状態では、式（５）で算出される時間ｔ３をカメラ使用可能時間として表示部１５に表示する。
【数３】
0004423764.tif 000002
【００１８】
撮影者は時間ｔ３の表示により、カメラをどの程度使用できるか把握することができる。この場合も、時間ｔ３の代わりにΔＷｈ１／Ｗｈ０に基づいて算出される撮影枚数を表示しても良い。また、残容量ΔＷｈがｘ・Ｗ０と等しくなったならば、すなわち電池電圧が図２のＶ３となったならば、バッファメモリ７に画像データを保持する動作を除いて、カメラの動作を自動的に停止させる。停止後は、ｘ時間だけデータが保持されるので、その間に、記録メディア１２をカメラに装着してそれに画像データを転送したり、カメラからパソコン等に転送して画像データを保存することができる。なお、その際にはＡＣアダプター等を使用してカメラに電力を供給して、保存作業を行う。
【００１９】
《動作説明》
次いで、図３，図４のフローチャートを参照してカメラの動作を説明する図であり、図３はフローチャートのメインルーチンを、図４はサブルーチンをそれぞれ示したものである。図４のフローチャートはカメラの電源をオンするとスタートする。ステップＳ１では、電池８の電圧Ｖ２を検出し、その電圧Ｖ２に基づいて上述した式（３）によりカメラ使用可能時間ｔ２を算出する。ステップＳ２では、ステップＳ１で算出されたカメラ使用可能時間ｔ２を表示部１５に表示する。ステップＳ３は電池８の電圧Ｖがカメラとして使用可能な電圧Ｖminより大ききか否かを判断するステップであり、Ｖ＞Ｖminと判断されるとステップＳ４へ進み、Ｖ≦Ｖminと判断されるとステップＳ１３へ進む。
【００２０】
ステップＳ３からステップＳ１６へ進んだ場合には、ステップＳ１３において電池８が空（Ｅｍｐｔｙ）であることを表示部１５に表示して一連の処理を終了する。ステップＳ４は操作部１４の操作による保持時間の設定がされたか否かを判断するステップであり、設定されたと判断されるとステップＳ１４へ進み、設定されていないと判断されるとステップＳ５へ進む。
【００２１】
先ず、保持時間の設定が行われた場合にについて、すなわち、ステップＳ４からステップＳ５へ進んだ場合について説明する。ステップＳ５では式（２），（５）により算出される保持可能時間ｔ１およびカメラ使用可能時間ｔ３を算出し、ステップＳ６において時間ｔ１，ｔ３および設定時間ｘを表示部１５に表示する。ここで、カメラ使用可能時間ｔ３は、現在（図２の電圧Ｖ２の時点）から電池電圧がＶ３となるまでの時間であり、Ｖ３はデータ保持開始時の電池電圧である。
【００２２】
ステップＳ７は、電池８の残容量ΔＷｈが画像データ保持に必要な保持容量ｘ・Ｗ０以下であるか否か、すなわち、データ保持を開始すべきか否かを判断するステップであり、ΔＷｈ＞ｘ・Ｗ０であってまだ撮影ができると判断されるとステップＳ１６へ進み、ΔＷｈ≦ｘ・Ｗ０であってデータ保持を開始すべきと判断されるとステップＳ８へ進む。ステップＳ８へ進んだ場合には、データ保持機能以外の機能を全て停止する。なお、ステップＳ１６へ進んだ場合については後述する。
【００２３】
ステップＳ９はバッファメモリ７に画像データが記録されているか否かを判断するステップであり、画像データが記録されていないと判断されるとデータ保持動作を行わずに一連の処理を終了する。一方、画像データが記録されていると判断されると、ステップＳ１０へ進んで保持可能時間ｔ１が算出される。ステップＳ１１は算出された保持可能時間ｔ１がｔ１＞０であるか否か、すなわち、データ保持できる残容量が有るか否かを判断するステップであり、ｔ１＞０と判断されるとステップＳ１２へ進み、ｔ１≦０と判断されるとステップＳ１５へ進む。
【００２４】
ステップＳ１２へ進んだ場合には、保持可能時間ｔ１およびカメラが使用できないことを示す表示（マーク等）を表示部１５に表示した後、ステップＳ１１へ戻る。一方、ステップＳ１５に進んだ場合には、データ保持が不可能であることを警告する表示を表示部１５に表示して一連の処理を終了する。なお、ステップＳ１５の警告表示に関しては、カメラにＬＥＤ等を設けて、それを点滅させるようにしても良い。
【００２５】
上述したステップＳ７において、ΔＷｈ＞ｘ・Ｗ０であってステップＳ１６へ進んだ場合について説明する。図４はステップＳ１６の処理を示すサブルーチンである。ステップＳ２０は記録メディア１２がカメラに装着されているか否かを判断するステップであり、装着されていると判断されるとステップＳ２７へ進み、装着されていないと判断されるとステップＳ２１へ進む。
【００２６】
ステップＳ２１はバッファメモリ７が画像データで一杯か否か、すなわち、バッファメモリ７に画像データをさらに記録できるか否かを判断するステップである。ステップＳ２１において、画像データで一杯であると判断されると図４のサブルーチンを抜けて図３ののステップＳ１０へ進み、記録できる余裕があると判断されるとステップＳ２２へ進む。ステップＳ２２は図２の全押しスイッチ６ｂがオンとされて撮影動作が行われたか否かを判断するステップであり、撮影動作が行われるとステップＳ２３へ進んで撮影処理が行われる。ステップＳ２４では、撮影された画像データをバッファメモリ７へ記録する。一方、ステップＳ２２において撮影動作が行われないと判断されると、ステップＳ２３，Ｓ２４をスキップしてステップＳ２５へ進む。
【００２７】
ステップＳ２５では保持可能時間ｔ１が式（２）により算出され、ステップＳ２６において保持可能時間ｔ１が表示部１５に表示される。ステップＳ２６の処理が終了したならば、図４に示す一連の処理を終了して図３のメインルーチンに戻り、さらにステップＳ１６からステップＳ３へと戻る。
【００２８】
また、上述したステップＳ４で保持時間設定がされたと判断されてステップＳ１４へ進んだ場合には、図４に示す撮影・記録処理を実行した後にステップＳ１へ戻る。図４の撮影・記録処理はステップＳ１６において説明したので、ここでは説明を省略する。なお、ステップＳ２７で記録メディア１２が一杯と判断された場合や、ステップＳ２１でバッファメモリ７が一杯であると判断された場合に、表示部１５に記録メディア１２やバッファメモリ７にデータ保存ができないことを表示するようにしても良い。
【００２９】
以上説明したように、本実施の形態におけるカメラは次のような効果を有している。
▲１▼記録メディア１２を所持していない場合でも画像データをバッファメモリ７に記録できるので、急に撮影が必要になった場合でもシャッターチャンスを逃すようなことがない。
▲２▼記録メディア１２が装着されていない場合や、記録メディア１２が画像データで一杯になった場合には、バッファメモリ７に画像データが記録保存されるので、従来のカメラのように記録メディア１２の装着、交換等によりシャッターチャンスを逃すようなことがない。
▲３▼データ保持時間を設定したときには、カメラ使用可能時間が表示部１５に表示されるので、どの程度撮影できるかが簡単に分かり、余裕を持って撮影を行うことができる。さらに、電池８の残容量がデータ保持に必要な保持容量以下となったときにデータ保持機能を除くカメラ機能が自動的に停止するので、カメラを使用しすぎて予定していた時間よりデータ保持可能時間が短くなってしまうような事態は生じない。
▲４▼保持時間設定時には保持可能時間ｔ１が表示部１５に表示されるので、バッファメモリ７に何時間保持できるかを常に確認することができ、保存作業前に保持時間が無くなるような事態を避けることができる。
【００３０】
以上説明した実施の形態と特許請求の範囲の要素との対応において、バッファメモリ７は揮発性メモリを、記録メディア１２は不揮発性メモリを、検出部１６は検出手段を、表示部１５は表示手段を、標準モードは第１の記録モードを、内部記録モードは第２の記録モードを、操作部１４は設定手段を、ＣＰＵ１０は保持時間演算手段，制御手段，保持容量演算手段，使用可能時間演算手段および停止手段をそれぞれ構成する。
【００３１】
【発明の効果】
以上説明したように、請求項１の発明によれば、保持可能時間に基づいて電子カメラを制御することにより、例えば、保持可能時間を表示することにより、揮発性メモリに保持されている画像データをいつまでに記録媒体等へ転送・保存すれば良いかが容易に分かる。
請求項２および請求項３の発明によれば、揮発性メモリに記録された画像データをデータ保持時間だけ保持しようとした場合に、カメラ使用可能時間に基づいて電子カメラを制御することにより、例えば、カメラ使用可能時間を表示することにより、電子カメラをどれだけ使用することができるかをカメラ使用可能時間から容易に確認することができる。
また、請求項４および請求項９では、カメラ使用可能時間および保持可能時間を表示するようにしたので、例えば、撮影終了時から画像データの保存作業ができる場所までの移動時間を考慮して撮影作業を行うことができる。
さらに、請求項５では、何時間に設定したかを確認することができ、必要なデータ保持時間の変更になった場合に、設定時間が適切か否かが容易に分かる。
請求項６および請求項７の発明によれば、着脱可能な不揮発性メモリに記録するか揮発性メモリに記録するかを選択することができるので、不揮発性メモリが無かったり、画像データで一杯だったりした場合であっても、揮発性メモリに画像データを記録することができるため、従来のようにシャッターチャンスを逃すようなことがない。
請求項８の発明では、電池の残容量が保持容量以下の場合にはカメラ動作が停止されるので、カメラ撮影に熱中して撮影をし過ぎ、残容量が保持容量を下回るような事態を避けることができる。
【図面の簡単な説明】
【図１】本発明による電子カメラの一実施の形態を示す図であり、デジタルスチルカメラの概略構成を示すブロック図である。
【図２】電池８の電圧と放電容量との関係を定性的に示す図である。
【図３】カメラの動作を説明するためのフローチャートである。
【図４】図３に示すフローチャートの撮影・記録処理の詳細を示すフローチャートである。
【符号の説明】
１  撮影レンズ
２  撮像素子
３  Ａ／Ｄ変換回路
４  信号処理回路
５  ＬＣＤモニタ
６ａ  半押しスイッチ
６ｂ  全押しスイッチ
７  バッファメモリ
８  電池
９  画像圧縮回路
１０  ＣＰＵ
１１  コネクタ
１２  記録メディア
１３  Ｉ／Ｆ回路
１４  操作部
１５  表示部
１６  検出部
【図１】
0004423764.tif 000003
【図２】
0004423764.tif 000004
【図３】
0004423764.tif 000005
【図４】
0004423764.tif 000006